(57)【要約】      （修正有）【課題】階を移動する際の上下階の同時視認性を向上することのできる多層構造物を提供する。【解決手段】多層構造物１０は、複数階に亘るコア部２０と、コア部２０から張り出し、複数階の床をそれぞれ形成すると共に階が上がるに従ってコア部２０の周方向一方側へずれる吹抜け開口が形成された複数の床部３０と、吹抜け開口３２を通り、複数階に亘って螺旋状に延びる階段４６及び斜行昇降機４０と、を備えている。【選択図】図１
2015121052.tif 000002
【特許請求の範囲】
【請求項１】
複数階に亘るコア部と、
前記コア部から張り出し、前記複数階の床をそれぞれ形成すると共に階が上がるに従って前記コア部の周方向一方側へずれる開口が形成された複数の床部と、
前記開口を通り、前記複数階に亘って螺旋状に延びる螺旋状移動経路と、
を備える多層構造物。
【請求項２】
上下に隣接する前記開口が平面視にて部分的にラップされ、前記コア部を中心として螺旋状に連続する螺旋状吹抜け空間が形成されている、
請求項１に記載の多層構造物。
【請求項３】
前記螺旋状吹抜け空間が、多層構造物の外部に面して設けられ、
前記螺旋状吹抜け空間には、前記コア部から斜め下方へ張り出し、該螺旋状吹抜け空間の床を形成する前記床部の外周部へ至る傾斜天井部が設けられている、
請求項２に記載の多層構造物。
【請求項４】
前記螺旋状移動経路が、前記螺旋状吹抜け空間に沿って設けられた斜行昇降機または階段である、
請求項２または請求項３に記載の多層構造物。
【発明の詳細な説明】
【技術分野】
【０００１】
本発明は、多層構造物に関する。
【背景技術】
【０００２】
センターポールと、センターポールの周囲に設けられた螺旋状道路と、螺旋状道路に沿って設けられた建築物とを備えた斜面人口土地が知られている（例えば、特許文献１参照）。
【０００３】
また、傾斜した昇降路を昇降する斜行エレベータが知られている（例えば、特許文献２参照）。
【先行技術文献】
【特許文献】
【０００４】
【特許文献１】特開平１１−３１５６４０号公報
【特許文献２】特開２００５−２３１８６６号公報
【発明の概要】
【発明が解決しようとする課題】
【０００５】
ところで、従来の多層構造物では、上下階の移動手段としてエレベータや階段等が用いられる。
【０００６】
しかしながら、これらのエレベータや階段等は、一般に、多層構造物の各階を略鉛直方向に貫通する。そのため、階を移動する人に、その上下階（例えば、１階と２階）を同時に視認させることが難しい。
【０００７】
本発明は、上記の事実を考慮し、階を移動する際の上下階の同時視認性を向上することを目的とする。
【課題を解決するための手段】
【０００８】
請求項１に記載の多層構造物は、複数階に亘るコア部と、前記コア部から張り出し、前記複数階の床をそれぞれ形成すると共に階が上がるに従って前記コア部の周方向一方側へずれる開口が形成された複数の床部と、前記開口を通り、前記複数階に亘って螺旋状に延びる螺旋状移動経路と、を備えている。
【０００９】
請求項１に係る多層構造物によれば、複数の床部には、階が上がるに従ってコア部の周方向一方側へずれる開口がそれぞれ形成されている。これらの開口を通って、螺旋状移動経路が複数階に亘って螺旋状に延びている。したがって、階を移動する人に、開口を介してその上下階を同時に視認させることができる。
【００１０】
請求項２に記載の多層構造物は、請求項１に記載の多層構造物において、上下に隣接する前記開口が平面視にて部分的にラップされ、前記コア部を中心として螺旋状に連続する螺旋状吹抜け空間が形成されている。
【００１１】
請求項２に係る多層構造物によれば、隣接する開口が平面視にて部分的にラップしている。これにより、コア部を中心として螺旋状に連続する螺旋状吹抜け空間が形成されている。この螺旋状吹抜け空間に沿って螺旋状移動経路を設けることにより、階を移動する人に、螺旋状吹抜け空間を介してその上下階を同時に且つ広範囲に視認させることができる。
【００１２】
請求項３に記載の多層構造物は、請求項２に記載の多層構造物において、前記螺旋状吹抜け空間が、多層構造物の外部に面して設けられ、前記螺旋状吹抜け空間には、前記コア部から斜め下方へ張り出し、該螺旋状吹抜け空間の床を形成する前記床部の外周部へ至る傾斜天井部が設けられている。
【００１３】
請求項３に係る多層構造物によれば、螺旋状吹抜け空間は、多層構造物の外部に面して設けられている。この螺旋状吹抜け空間には、コア部から斜め下方へ張り出し、螺旋状吹抜け空間の床を形成する床部の外周部へ至る傾斜天井部が設けられている。この傾斜天井部によって螺旋状吹抜け空間が、人が利用する内部空間（利用空間）と、多層構造物の外部に面する中間空間とに仕切られている。
【００１４】
このように人が利用する内部空間と多層構造物の外部との間に傾斜天井部（中間空間）を設けることにより、例えば、高所に対する不安感を軽減することができる。
【００１５】
請求項４に記載の多層構造物は、請求項２または請求項３に記載の多層構造物において、前記螺旋状移動経路が、前記螺旋状吹抜け空間に沿って設けられた斜行昇降機または階段である。
【００１６】
請求項４に係る多層構造物によれば、螺旋状移動経路としての階段または斜行昇降機を螺旋状吹抜け空間に沿って設けることにより、上下階を同時に視認可能にしつつ、階の移動を容易化することができる。
【発明の効果】
【００１７】
以上説明したように、本発明に係る多層構造物によれば、階を移動する際の上下階の同時視認性を向上することができる。
【図面の簡単な説明】
【００１８】
【図１】本発明の一実施形態に係る多層構造物を示す斜視図である。
【図２】図１に示される多層構造物を示す平面図である。
【図３】図１に示される多層構造物を模式的に示す立面図である。
【図４】図１に示される多層構造物を示す縦断面図である。
【図５】比較例に係る多層構造物を模式的に示す立面図である。
【図６】本発明の変形例に係る多層構造物を模式的に示す立面図である。
【発明を実施するための形態】
【００１９】
以下、図面を参照しながら、本発明の一実施形態に係る多層構造物について説明する。
【００２０】
図１に示されるように、本実施形態に係る多層構造物１０は、複数階からなる円柱状の塔状構造物とされている。この多層構造物１０は、中央部に配置されたコア部２０と、コア部２０から張り出す複数の床部３０と、コア部２０を中心として螺旋状に連続する螺旋状吹抜け空間３４とを有している。
【００２１】
コア部２０は、基礎部から立ち上げられ、複数階に亘って上下方向に延びている。このコア部２０は、その外周に沿って配列された複数のコア柱２２と、隣接するコア柱２２の間に架設された複数のコア梁２４とを有し、全体として円筒状に形成されている。このコア部２０の外周には、コア部２０を囲むエレベータシャフト１２が設けられている。このエレベータシャフト１２には、複数階を略鉛直方向に貫通する鉛直移動経路としての鉛直エレベータ１４が設けられている。
【００２２】
コア部２０からは、各階の床を形成する複数の床部３０が張り出している。複数の床部３０は、略円形状に形成されると共に、上下方向に間隔を空けてコア部２０から鍔状に張り出している。これらの床部３０には、螺旋状吹抜け空間３４を形成する吹抜け開口３２がそれぞれ形成されている。なお、吹抜け開口３２は、開口の一例である。
【００２３】
図２に示されるように、吹抜け開口３２は、コア部２０から床部３０の外周縁部に亘って略扇状に形成されている。また、各吹抜け開口３２は、階が上がるに従ってコア部２０の周方向一方側（矢印Ｒ方向）へずれている。さらに、上下に隣接する吹抜け開口３２は、平面視にて部分的にラップしている（重なっている）。これにより、コア部２０を中心として螺旋状に連続する螺旋状吹抜け空間（スパイラルボイド）３４が形成されている。
【００２４】
より具体的に説明すると、図２には、Ｎ−６階からＮ階（Ｎは整数）までの床部３０が示されている。この図２の例では、例えば、Ｎ−１階の吹抜け開口３２Ｎ−１は、平面視にてＮ−２階の吹抜け開口３２Ｎ−２と部分的にラップする範囲内で、当該吹抜け開口３２Ｎ−２に対してコア部２０の周方向一方側（矢印Ｒ方向）へずれている。これと同様に、Ｎ階の吹抜け開口３２Ｎは、平面視にてＮ−１階の吹抜け開口３２Ｎ−１と部分的にラップする範囲内で、当該吹抜け開口３２Ｎ−１に対してコア部２０の周方向一方側（矢印Ｒ方向）へずれている。これにより、コア部２０を中心として螺旋状に連続する螺旋状吹抜け空間３４が形成されている。
【００２５】
図１に示されるように、螺旋状吹抜け空間３４には、螺旋状移動経路としての複数の斜行昇降機４０及び階段４６が設けられている。斜行昇降機４０及び階段４６は、螺旋状吹抜け空間３４に沿って設けられ、各階の床部３０に形成された吹抜け開口３２を介して複数階に亘って螺旋状に延びている。
【００２６】
斜行昇降機４０は、各階の吹抜け開口３２を通り、複数階に亘って螺旋状に敷設された螺旋状レール４２と、螺旋状レール４２に沿って移動する乗物４４とを有している。階段４６は、隣接階の吹抜け開口３２の開口縁部間に架け渡されている。
【００２７】
ここで、多層構造物１０の耐震構造について説明する。図３に示されるように、コア部２０の外側には、基礎部から立ち上げられた複数の外周柱２６が配置されている。複数の外周柱２６は、多層構造物１０の外周に沿って円形状に配列されており、コア部２０を囲んでいる。このコア部２０と外周柱２６との間には梁２８（図４参照）がそれぞれ架設されており、これらの梁２８に各階の床部３０（図１参照）が支持されている。なお、図１及び図２では、外周柱２６の図示が省略されている。
【００２８】
また、コア部２０と複数の外周柱２６とは、コア部２０を中心として螺旋状に延びる螺旋状トラス部５０によって連結されている。そして、地震時には、この螺旋状トラス部５０を介してコア部２０から複数の外周柱２６に地震力が分散して伝達されるようになっている。
【００２９】
図４に示されるように、螺旋状トラス部５０は、コア部２０を中心として螺旋状に配列された複数のトラス架構５２を有している。トラス架構５２は、上下一対の梁材５４及び斜材５６を有し、平面視にてコア部２０から放射状に張り出している。上下一対の梁材５４は、２階以上（本実施形態では４階）の間隔を空けてコア柱２２と外周柱２６との間に架設されており、コア柱２２及び外周柱２６と共に複数階に亘る架構を構成している。この架構の対角上に斜材５６を設けることにより、トラス架構５２が形成されている。
【００３０】
このように構成された螺旋状トラス部５０に沿って、前述した螺旋状吹抜け空間３４が形成されている。螺旋状吹抜け空間３４は、上下の梁材５４間に形成されると共に、多層構造物１０の外部（外周柱２６よりも外側の空間）に面している。この螺旋状吹抜け空間３４には、前述した斜材５６が設けられている。なお、下側の梁材５４には、螺旋状吹抜け空間３４の床を形成する床部３０（図１参照）が支持される。
【００３１】
斜材５６は、コア部２０のコア柱２２から斜め下方へ張り出しており、吹抜け開口３２（図１参照）を通って下側の梁材５４と外周柱２６との仕口部に接合されている。換言すると、斜材５６は、コア部２０から斜め下方へ張り出し、螺旋状吹抜け空間３４の床を形成する床部３０（図１参照）の外周部に至っている。なお、図３及び図４では、床部３０の図示が省略されている。
【００３２】
また、隣接する斜材５６の間には、ガラスパネル等の図示しない天井材が張り渡されている。これにより、螺旋状吹抜け空間３４を上下に仕切る傾斜天井部５８が形成されている。そして、傾斜天井部５８の内側は、人が利用する内部空間（利用空間）３４Ａとされ、傾斜天井部５８の外側は、多層構造物１０の外部に面する中間空間３４Ｂとされている。
【００３３】
次に、本実施形態の作用及び効果について説明する。
【００３４】
先ず、本実施形態の効果をより明確にするために、比較例に係る多層構造物１００の移動経路について説明する。図５に示されるように、比較例に係る多層構造物１００の中央部には、各階を略鉛直方向に貫通する低層用、中層用、高層用の３つの鉛直エレベータ１０２Ａ，１０２Ｂ，１０２Ｃが設けられている。
【００３５】
このような多層構造物１００では、人は鉛直エレベータ１０２Ａ，１０２Ｂ，１０２Ｃの何れかに乗って略鉛直方向に移動し、矢印ａ〜ｃで示されるように所定階で降りることにより階を移動する。そのため、階を移動する人に、複数階を同時に視認させることが難しい。また、多層構造物１００の各階は、床によって仕切られるため、別の階に居る人を視認することができない。
【００３６】
これに対して本実施形態に係る多層構造物１０には、図１に示されるように、コア部２０を中心として螺旋状に連続する螺旋状吹抜け空間３４が設けられている。この螺旋状吹抜け空間３４には、螺旋状移動経路としての斜行昇降機４０及び階段４６が設けられている。斜行昇降機４０及び階段４６は、螺旋状吹抜け空間３４に沿って設けられ、各階の床部３０に形成された吹抜け開口３２を介して複数階に亘って螺旋状に延びている。
【００３７】
したがって、図１に示されるように、斜行昇降機４０や階段４６を利用して階を移動する人に、吹抜け開口３２を介してその上下階を同時にかつ広範囲に視認させることができる。より具体的に説明すると、図２に示されるように、例えば、Ｎ階に居る人Ｐは、矢印Ｓで示されるように、下階についてはＮ−６階まで見渡すことができる。これと同様に、上階についてはＮ＋６階まで見渡すことができる。
【００３８】
このように階を移動する人の視野を上下階に拡大させることにより、比較例に係る多層構造物１００と比べて、コミュニケーションを誘発することができる。また、螺旋状移動経路として、螺旋状吹抜け空間３４に階段４６や斜行昇降機４０を設けることにより、上下階を同時に視認可能にしつつ、階の移動を容易化することができる。
【００３９】
しかも、斜行昇降機４０等は斜め方向に移動するため、鉛直エレベータ１４と比較して各階での滞在時間が長くなる。したがって、コミュニケーションをさらに誘発することができる。
【００４０】
また、螺旋状吹抜け空間３４は、複数階に亘って螺旋状に延びている。これに加え、人の視野は、一般的に上に５０度、下に７５度、左右に２００度と広い。そのため、近隣階の人同士は、階を移動しなくても螺旋状吹抜け空間３４を介して互いを視認することができる。
【００４１】
さらに、図４に示されるように、螺旋状吹抜け空間３４には、コア部２０から斜め下方へ張り出す傾斜天井部５８が設けられている。この傾斜天井部５８によって螺旋状吹抜け空間３４が、人が利用する内部空間３４Ａと、多層構造物１０の外部に面する中間空間３４Ｂとに仕切られている。
【００４２】
このように人が利用する内部空間３４Ａと多層構造物１０の外部との間に、傾斜天井部５８（中間空間３４Ｂ）を設けることにより、例えば、高所に対する不安感を軽減することができる。
【００４３】
次に、上記実施形態の変形例について説明する。
【００４４】
上記実施形態では、螺旋状移動経路として、多層構造物１０に斜行昇降機４０及び階段４６を設けた例を示したが、これに限らない。螺旋状移動経路としては、例えば、エスカレータ等でも良い。また、多層構造物１０には、斜行昇降機４０、階段４６、及びエスカレータ等の少なくとも一つを設けることができる。
【００４５】
また、上記実施形態では、螺旋状吹抜け空間３４に傾斜天井部５８を設けた例を示したが、傾斜天井部５８は適宜省略可能である。また、上記実施形態では、多層構造物１０の略全長に亘って螺旋状吹抜け空間３４を形成した例を示したが、これに限らない。螺旋状吹抜け空間は、多層構造物１０に部分的に形成しても良い。さらに、上記実施形態では、螺旋状トラス部５０に沿って螺旋状吹抜け空間３４を形成した例を示したが、これに限らない。螺旋状トラス部５０は適宜省略可能である。
【００４６】
さらに、螺旋状吹抜け空間３４も適宜省略可能である。例えば、図６には、螺旋状吹抜け空間がない多層構造物７０が示されている。このような多層構造物７０では、各階の床部７３に、螺旋状移動経路７４を通す開口を適宜形成すれば良い。この際、床部７３に形成する開口としては、人が上下階を移動可能で且つ人が移動する際にその上下階を視認可能な種々の開口を形成することができる。なお、符号７６は、複数の螺旋状移動経路７４の接続部を示している。また、符号７２Ａ，７２Ｂ，７２Ｃは、コア部２０に沿って設けられた鉛直エレベータを示している。
【００４７】
また、多層構造物１０やコア部２０の形状は、上記したものに限らない。多層構造物１０やコア部２０は、例えば、角柱状に形成しても良い。
【００４８】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００４９】
１０    多層構造物
２０    コア部
３０    床部
３２    吹抜け開口
３４    螺旋状吹抜け空間
４０    斜行昇降機（螺旋状移動経路）
４６    階段（螺旋状移動経路）
５８    傾斜天井部
７０    多層構造物
７４    螺旋状移動経路
【図１】
2015121052.tif 000003
【図２】
2015121052.tif 000004
【図３】
2015121052.tif 000005
【図４】
2015121052.tif 000006
【図５】
2015121052.tif 000007
【図６】
2015121052.tif 000008